(57)【特許請求の範囲】
【請求項１】
情報が光学的に記録されるトラックを備えるディスク状の記録媒体を製造する記録媒体製造装置において、
前記記録媒体上にランドとグルーブからなるトラックを螺旋状に形成するトラック形成手段と、
前記形成されたグルーブへの前記情報の記録に用いられる光ビームの照射位置を、当該光ビームが照射される前記グルーブである照射グルーブから、当該照射グルーブの内側に隣接して形成される前記グルーブであって前記照射グルーブに前記情報が記録される前に情報が記録されるグルーブである隣接グルーブへ遷移させる遷移部を、前記照射グルーブと前記隣接グルーブとの間のランドに形成する遷移部形成手段と、
を備え、
前記遷移部形成手段は、当該遷移部内に、前記照射位置を当該照射グルーブから当該隣接グルーブに遷移させるための遷移ピットを当該照射グルーブ及び当該隣接グルーブに並行して複数個形成することを特徴とする記録媒体製造装置。
【請求項２】
請求項１に記載の記録媒体製造装置において、
前記遷移部形成手段は、当該遷移部内に形成される前記照射グルーブと前記隣接グルーブとの間のランドに、前記ディスク状記憶媒体の回転方向の長さの比を徐々に変化させた前記複数の遷移ピットを形成することを特徴とする記録媒体製造装置。
【請求項３】
請求項１または２に記載の記録媒体製造装置において、
前記遷移部形成手段は、当該遷移ピットが形成されている区間内で前記照射グルーブの形成を停止し、
前記トラック形成部は、前記遷移部の外側に新たに前記トラックを形成することを特徴とする記録媒体製造装置。
【請求項４】
請求項１または２に記載の記録媒体製造装置において、
前記遷移部形成手段は、当該遷移部内において前記照射グルーブを前記隣接グルーブに接続するように当該照射グルーブを形成すると共に、
前記トラック形成部は、前記遷移部の外側に新たに前記トラックを形成することを特徴とする記録媒体製造装置。
【請求項５】
情報が記録されるランドとグルーブからなるトラックを備えるディスク状の記録媒体において、
前記グルーブへの前記情報の記録に用いられる光ビームの照射位置を、当該光ビームが照射される前記グルーブである照射グルーブから、当該照射グルーブの内側に隣接して形成される前記グルーブであって前記照射グルーブに前記情報が記録される前に情報が記録されるグルーブである隣接グルーブへ遷移させる遷移部が、前記形成されたトラックに連続するように前記照射グルーブと前記隣接グルーブとの間のランドに形成されてなり、
当該遷移部には、前記照射位置を当該照射グルーブから当該隣接グルーブに遷移させるための遷移ピットが当該照射グルーブ及び当該隣接グルーブに並行して複数個形成されていることを特徴とする記録媒体。
【請求項６】
請求項５に記載の記録媒体において、
当該遷移部内に形成される前記照射グルーブと前記隣接グルーブとの間のランドに、前記ディスク状記憶媒体の回転方向の長さの比を徐々に変化させた前記複数の遷移ピットが形成されていることを特徴とする記録媒体。
【請求項７】
請求項５または６に記載の記録媒体において、
前記遷移部は、当該遷移ピットが形成されている区間内に前記照射トラックの終端部を備え、
前記遷移部の外側に他の前記トラックが形成されていることを特徴とする記録媒体。
【請求項８】
請求項５または６に記載の記録媒体において、
前記遷移部は、当該遷移部内における前記照射グルーブが前記隣接グルーブに接続するように形成されていると共に、
前記遷移部の外側に他の前記トラックが形成されていることを特徴とする記録媒体。
【発明の詳細な説明】
【０００１】
【発明の属する技術分野】
本発明は、記録媒体に正規に記録されている情報が不法複写されて、一般に拡布されることを防止するための構成を備えた記録媒体及び当該記録媒体を製造するための記録媒体製造装置の技術分野に属する。
【０００２】
【従来の技術】
一般的に映画等の画像情報は著作権により保護されている場合が多く、その場合には、これらの情報を無断で複写することは基本的には禁止されている。
【０００３】
また、当該著作権者においては、これらの複写を効果的に防止する方策を取る必要がある。
【０００４】
ここで、従来行われている不法複写の防止の方法としては、例えば、記録すべき画像情報等と共に、その画像情報等が記録後に複写禁止とされるものなのか、或いは一回のみ複写が許されるものなのかを示す複写制御情報を記録し、当該記録されている画像情報等の複写時に、複写装置において、当該複写制御情報を再生すると共に当該再生された複写制御情報に基づいて複写禁止なのか或いは一回のみ複写可能であるのかを認識して複写制限を行っていた。
【０００５】
【発明が解決しようとする課題】
しかしながら、当該画像情報等が記録されている記録媒体から、いわゆるハードコピーが為された場合には、上記複写制御情報が画像情報等と共に複写されてしまうので、この場合には、不法複写を有効に防止できないという問題点があった。
【０００６】
ここで、ハードコピーとは、上記画像情報等が記録されている記録媒体からの再生信号を、当該再生信号がＲＦ（Radio  Frequency）信号の段階でそのまま他の記録媒体に記録してしまうことを言い、このハードコピーが実行されてしまうと、上記複写制御情報の有無に拘わらず複写が実行されてしまうこととなるのである。
【０００７】
そこで、本発明は、上記問題点に鑑みて為されたもので、その課題は、記録媒体から再生されたＲＦ信号の段階の再生信号であっても不法複写されることを防止することが可能な記録媒体及び当該記録媒体を製造する記録媒体製造装置を提供することにある。
【０００８】
【課題を解決するための手段】
上記の課題を解決するために、請求項１に記載の発明は、情報が光学的に記録されるトラックを備えるディスク状の記録媒体を製造する記録媒体製造装置において、前記記録媒体上にランドとグルーブからなるトラックを螺旋状に形成するトラック形成手段と、前記形成されたグルーブへの前記情報の記録に用いられる光ビームの照射位置を、当該光ビームが照射される前記グルーブである照射グルーブから、当該照射グルーブの内側に隣接して形成される前記グルーブであって前記照射グルーブに前記情報が記録される前に情報が記録されるグルーブである隣接グルーブへ遷移させる遷移部を、前記照射グルーブと前記隣接グルーブとの間のランドに形成する遷移部形成手段と、を備え、前記遷移部形成手段は、当該遷移部内に、前記照射位置を当該照射グルーブから当該隣接グルーブに遷移させるための遷移ピットを当該照射グルーブ及び当該隣接グルーブに並行して複数個形成する構成を有している。
【０００９】
また、請求項５に記載の発明は、情報が記録されるランドとグルーブからなるトラックを備えるディスク状の記録媒体において、前記グルーブへの前記情報の記録に用いられる光ビームの照射位置を、当該光ビームが照射される前記グルーブである照射グルーブから、当該照射グルーブの内側に隣接して形成される前記グルーブであって前記照射グルーブに前記情報が記録される前に情報が記録されるグルーブである隣接グルーブへ遷移させる遷移部が、前記形成されたトラックに連続するように前記照射グルーブと前記隣接グルーブとの間のランドに形成されてなり、当該遷移部には、前記照射位置を当該照射グルーブから当該隣接グルーブに遷移させるための遷移ピットが当該照射グルーブ及び当該隣接グルーブに並行して複数個形成されている構成を有している。
【００３７】
【発明の実施の形態】
次に、本発明に好適な実施の形態について、図面に基づいて説明する。
【００３８】
なお、以下に説明する各実施形態は、情報が記録される螺旋溝状のトラックとしてのグルーブトラックと、当該グルーブトラックの間に夫々形成されているランドトラック（上記グルーブトラックとは、その高さが異なって形成されている。）とを有し、光学的に情報を記録すると共に当該記録された情報を再生することが可能な光ディスクに対して本発明を適用した場合の実施の形態である。
【００３９】
（Ｉ）第１実施形態
始めに、本発明に係る第１実施形態について、図１乃至図５を用いて説明する。
【００４０】
先ず、本発明に係る記録媒体としての光ディスクの物理的構造について、図１及び図２を用いて説明する。
【００４１】
なお、図１は第１実施形態に係る光ディスクＤＫの平面図であり、図２は当該光ディスクＤＫの一部の拡大平面図である。
【００４２】
図１に示すように、第１実施形態に係る光ディスクＤＫは、その内周側から、当該光ディスクＤＫを情報記録装置又は情報再生装置におけるスピンドルモータの回転軸に固定するためのクランプ孔ＳＨと、当該固定のための未記録領域ＮＲと、光ディスクＤＫに情報を記録する際の光ビームの強度を設定するためのデータや、当該情報記録時にいずれの位置から記録を開始するかを示すデータ等を予め記録しておくための記録制御領域ＣＲと、情報記録開始又は情報再生開始のための種々の情報並びに光ディスクＤＫに記録される情報における著作権情報（具体的には、著作権者名、コピー制御情報（すなわち、当該記録される情報が１回のみ複写可能か、又は複写禁止か等を示すコピー制御情報）、当該記録される情報に対していわゆるスクランブル処理を施して記録する際の当該スクランブル処理を解除するためのキーデータ等を含む。）が記録されているリードイン領域ＬＩと、実際に記録すべき情報が記録される記録領域Ｒと、情報記録終了又は情報再生終了のための種々の情報が記録されているリードアウト領域ＬＯと、により構成されている。
【００４３】
このとき、記録制御領域ＣＲ、リードイン領域ＬＩ、記録領域Ｒ及びリードアウト領域ＬＯにおいては、上記グルーブトラック及びランドトラックが相隣接しつつ内周側から外周側に向かって螺旋状に形成されており、記録されるべき情報は、当該グルーブトラックに対して内周側から順次外周側に向けて記録されていく。
【００４４】
また、光ディスクＤＫの断面構造としては、対応する情報記録方法又は情報再生方法に応じて、例えば、紫外線硬化樹脂等からなる保護層と、実際に情報が記録される記録層と、光ディスクＤＫの本体である透明プラスチック素材等からなる基板等を有して構成されている。
【００４５】
ここで、第１実施形態の光ディスクＤＫにおいては、上記リードイン領域ＬＩ内に、当該光ディスクＤＫに対して情報を不法複写しようとした際に、当該不法複写に用いられる光ビームにより光ディスクＤＫ上に形成される光スポットを、現在光ビームが照射されているグルーブトラックからその一つ内周側にあるグルーブトラック（すなわち、既に情報が記録されているグルーブトラック）に遷移させるための遷移部ＭＧ（図１中斜線により示す。）が形成されている。
【００４６】
そして、当該遷移部ＭＧにより、当該不法複写時においては、光スポットが遷移部ＭＧよりも外周に移動することはなく、結果として不法複写自体が一切不可能になる。
【００４７】
次に、本発明に係る上記遷移部ＭＧの具体的な構造について、図２に示す拡大平面図を用いて説明する。なお、図２においては、グルーブトラックと同じ高さの部分を斜線で示している。更に、図２においては、本来螺旋状であるグルーブトラック及びランドトラックを、説明の簡略化のために直線的に示している。
【００４８】
図２に示すように、第１実施形態の光ディスクＤＫの遷移部ＭＧでは、他のグルーブトラックＧと同じ構造を有する隣接トラックとしてのグルーブトラックＧ1に隣接する照射トラックとしてのグルーブトラックＧ2が、当該遷移部ＭＧ内において終端部を有していると共に、当該グルーブトラックＧ1とグルーブトラックＧ2の間、及びグルーブトラックＧ2が終端してから所定の長さの間のランドトラックＬ上に、光スポットをグルーブトラックＧ2からグルーブトラックＧ1へ徐々に遷移させるための当該グルーブトラックＧと同じ高さを有する遷移ピット１乃至１０が形成されている。
【００４９】
そして、各遷移ピット１乃至１０のディスク回転方向の長さの比が、図２中上から（遷移ピット１から）順に、
【数１】
遷移ピット１：遷移ピット２：遷移ピット３：遷移ピット４：遷移ピット５：遷移ピット６：遷移ピット７：遷移ピット８：遷移ピット９：遷移ピット１０＝１：２：３：４：５：５：４：３：２：１
となっている。
【００５０】
ここで、遷移ピット１乃至１０により光スポットがグルーブトラックＧ2からグルーブトラックＧ1へ遷移する動作を図２を用いて説明すると、例えば、情報記録時に光ビームがいわゆるプッシュプル法によりトラキングサーボ制御されつつ照射される場合には、当初、グルーブトラックＧ2上にあった光スポットＳＰ1が遷移部ＭＧ内の遷移ピット１に差し掛かってくると（図２中符号ＳＰ2参照）、当該光スポットＳＰ2における図２に向かって左半分からの反射光量が向かって右半分からの反射光量よりも遷移ピット１の分だけ少なくなる。
【００５１】
すると、図示しないトラッキングサーボ制御部は、光スポットＳＰ2の位置が図２中向かって右側にずれていると判断し、当該光スポットＳＰ2を、その左半分からの反射光量と右半分からの反射光量とを等しくするべく、図２中向かって左方向に移動させる。
【００５２】
この状態で、光スポットが移動し、次に光スポットＳＰ3の位置に移動したとすると、当該光スポットＳＰ3においては、遷移ピット１よりも長い遷移ピット２及び３の存在により、当該光スポットＳＰ3における図２に向かって左半分からの反射光量が向かって右半分からの反射光量よりも更に減少する。
【００５３】
すると、上記トラッキングサーボ制御部は、光スポットＳＰ3の位置が図２中向かって右側にずれていると判断し、当該光スポットＳＰ3を、その左半分からの反射光量と右半分からの反射光量とを等しくするべく、図２中向かって左方向に更に移動させる。
【００５４】
そして、以上説明した動作が、遷移ピット２の位置から遷移ピット５の位置に光スポットが移動するときに夫々繰り返されることにより、光スポットの位置は、図２に示す光スポットＳＰ2から光スポットＳＰ4のように順次グルーブトラックＧ1よりに移動していく。
【００５５】
その後、遷移ピット５の位置でグルーブトラックＧ2が途切れると、それ以後は、光スポット内の図２に向かって右半分からの反射光量が向かって左半分からの反射光量よりも多い状態が継続するので（光スポットＳＰ5乃至ＳＰ8参照）、この場合上記トラッキングサーボ制御部は、光スポットの位置が図２中向かって右側にずれていると判定し、当該光スポットの位置を図２に示す光スポットＳＰ5乃至ＳＰ8に示すようにグルーブトラックＧ1を照射するのに適した位置まで図２中左方向に移動させていく。
【００５６】
そして、最終的に、グルーブトラックＧ2上にあった光スポットがその内周側にあるグルーブトラックＧ1上に遷移することとなる。このとき、遷移途中における光スポットの中心位置は、図２中一点鎖線で示すように移動していく。
【００５７】
上述した遷移ピット１乃至１０の存在により、光ビームはグルーブトラックＧ1からグルーブトラックＧ2に遷移することを繰り返すのみとなるので、当該グルーブトラックＧ2の外周側にある他のグルーブトラックＧに遷移することはなく、結果として、不法複写自体が不可能となるのである。
【００５８】
次に、図１及び図２に示した構造を有する光ディスクＤＫを製造するための記録媒体製造装置としてのカッティング装置の実施形態について、図３及び図４を用いて説明する。
【００５９】
なお、図３は第１実施形態のカッティング装置の全体構成を示すブロック図であり、図４は上記遷移部ＭＧを形成するために主としてＣＰＵ４０において実行される処理を示すフローチャートである。
【００６０】
また、図３及び４に示すカッティング装置は、本発明による遷移部ＭＧを含んでグルーブトラックＧ及びランドトラックＬが形成された光ディスクＤＫを大量生産するためのスタンパディスクを製作するためのものである。
【００６１】
更に、図３に示すカッティング装置Ｃにより製造される光ディスクＤＫでは、ランドトラックＬ上に、情報をグルーブトラックＧに記録するための種々の記録制御情報（具体的には、光ディスクＤＫ上のアドレス情報等）に対応するプリピットが形成されるものとする。
【００６２】
図３に示すように、実施形態のカッティング装置Ｃは、ランド用データ発生器５０と、グルーブ用データ発生器４３と、パラレル／シリアル変換器２１と、プリフォーマット用エンコーダ２２と、クロック信号発生部２３と、 レーザ発生装置２４と、光変調器２５と、対物レンズ２６と、スタンパディスクと、スピンドルモータ２９と、回転検出器３０と、回転サーボ回路３１と、送りユニット３２と、位置検出器３３と、送りサーボ回路３４と、トラック形成手段及び遷移部形成手段としてのＣＰＵ４０と、により構成されている。
【００６３】
また、ランド用データ発生器５０は、データ生成部２０と、スイッチ４２と、ループデータ発生部４１と、により構成されている。
【００６４】
更に、スタンパディスクは、スタンパディスク本体としてのガラス基板２７と、ガラス基板２７上にコーティングされた遷移ピット１乃至１０及び各トラックを形成するためのレジスト（感光材）２８とにより構成されている。  更にまた、レーザ発生装置２４は、光ビームＬGを出射する出射装置２４Ｇと、光ビームＬLを出射する出射装置２４Ｌとにより構成されている。
【００６５】
次に、概要動作を説明する。
【００６６】
ランド用データ発生器５０は、ＣＰＵ４０からの制御信号Ｓcl、Ｓclp及びＳcswに基づいて、ランドトラックＬ及び遷移ピット１乃至１０並びに上記プリピットを形成するためのランド信号Ｓplを生成してパレレル／シリアル変換器２１に出力する。
【００６７】
そして、パレレル／シリアル変換器２１は、ランド信号Ｓplをパラレル／シリアル変換する。
【００６８】
そして、プリフォーマット用エンコーダ２２は、シリアルデータに変換されたランド信号Ｓplびクロック信号発生部２３からのプリフォーマッティング用のクロック信号ＣＬＫに基づいて、上記ランドトラックＬ及び遷移ピット１乃至１０並びに上記プリピットを実際にスタンパディスク上に形成するためのランドデータ信号Ｓrlを生成して光変調器２５に出力する。
【００６９】
一方、グルーブ用データ発生器４３は、ＣＰＵ４０からの制御信号Ｓcgに基づいて、上記グルーブトラックＧ、Ｇ1及びＧ2をスタンパディスク上に実際に形成するためのグルーブデータ信号Ｓrg（すなわち、一定高さのグルーブトラックＧを連続する螺旋状に形成するためのグルーブデータ信号Ｓrg）を生成して光変調器２５に出力する。
【００７０】
一方、出射装置２４Ｇは光ディスクＤＫの基板に対して図２に示すグルーブトラックＧ、Ｇ1及びＧ2を形成するための光ビームＬGを出射すると共に、出射装置２４Ｌは上記ランドトラックＬ及び遷移ピット１乃至１０並びに遷移部ＭＧを形成するための光ビームＬLを出射する。
【００７１】
そして、光変調器２５は、出射された光ビームＬL又はＬGを夫々ランドデータ信号Ｓrl及びグルーブデータ信号Ｓrgを用いて変調する。
【００７２】
これにより、対物レンズ２６は、光ビームＬG及びＬLをスタンパディスク上に集光する。
【００７３】
このとき、スピンドルモータ２９は、スタンパディスクを回転させる。
【００７４】
そして、回転検出器３０は当該スタンパディスクの回転数を検出し、回転検出信号Ｓrpを生成して回転サーボ回路３１及びＣＰＵ４０に出力する。
【００７５】
これにより、回転サーボ回路３１は、回転検出信号Ｓrpに基づいて、スタンパディスクの回転をサーボ制御すると共に、スタンパディスクの一回転に一回の一回転検出信号Ｓsを生成してプリフォーマット用エンコーダ２２に出力する。
【００７６】
更に、送りユニット３２は、螺旋状のグルーブトラックＧ及びランドトラックＬを形成するために、スタンパディスクの回転に対応してスピンドルモータ２９及びスタンパディスクを当該スタンパディスクの半径方向に送る。
【００７７】
このとき、位置検出器３３は、送りユニット３２の半径方向の位置を検出し、位置検出信号Ｓpoを生成して送りサーボ回路３４及びＣＰＵ４０に出力する。
【００７８】
そして、送りサーボ回路３４は、ＣＰＵ４０からの制御信号Ｓso及び位置検出信号Ｓpoに基づいて、送りユニット３２の移動をサーボ制御する。
【００７９】
このとき、上述の動作において、光ビームＬLは光変調器２５によりランドデータ信号Ｓrlに基づいて変調され、光ビームＬGは光変調器２５によりグルーブデータＳrgに基づいて変調される。そして、夫々の光ビームがスタンパディスクの半径方向に移動しながら当該スタンパディスクに照射される。
【００８０】
更に、ランドトラックＬを形成する光ビームＬLとグルーブトラックＧを形成する光ビームＬGとは、夫々の照射位置をスタンパディスクの半径方向にずらしつつ照射され、同心螺旋状のランドトラックＬ（遷移部ＭＧを含む。）とグルーブトラックＧを同時に形成していく。
【００８１】
このとき、ＣＰＵ４０は、位置検出信号Ｓpo及び回転検出信号Ｓrpに基づいて、以下に説明する処理を実行しつつ上記制御信号Ｓcg、Ｓcl、Ｓclp及びＳcswを出力すると共に、制御信号Ｓsoを生成して送りサーボ回路３４に出力することにより当該送りサーボ回路３４を制御し、上記遷移部ＭＧを含むグルーブトラックＧ及びランドトラックＬをスタンパディスク上に形成する。
【００８２】
次に、上記ランド用データ発生器５０内の各構成部材の概要動作を説明する。
【００８３】
先ず、データ発生部２０は、ＣＰＵ４０からの制御信号Ｓclに基づいて、上記遷移部ＭＧ以外のランドトラックＬ上に形成すべき上記プリピットに対応するプリデータ信号Ｓppを生成してスイッチ４２の一方の入力端子に出力する。
【００８４】
一方、ループデータ発生部４１は、ＣＰＵ４０からの制御信号Ｓclpに基づいて、遷移部ＭＧにおける上記遷移ピット１乃至１０を形成するためのループデータ信号Ｓlpを生成してスイッチ４２の他方の入力端子に出力する。
【００８５】
そして、スイッチ４２は、ＣＰＵ４０からの制御信号Ｓcswに基づいて、プリデータ信号Ｓppとループデータ信号Ｓlpを切り換えて上記ランド信号Ｓplとしてプリフォーマット用エンコーダ２２に出力する。
【００８６】
次に、上記カッティング装置Ｃにおいて実行される本発明の光ディスクＤＫの製造動作について、図４に示すフローチャートを用いて詳説する。
【００８７】
なお、以下に説明するフローチャートで示される動作は、光ディスクＤＫのリードイン領域ＬＩ内における予め設定された所定の半径位置に、光ディスクＤＫの四分の一周分の領域に渡って上記遷移部ＭＧを形成する場合を例とした動作である。
【００８８】
また、以下のフローチャートにおいては、各トラック及び遷移部ＭＧの形成を、光ディスクＤＫに対する「記録」と表示している。
【００８９】
第１実施形態の遷移部ＭＧの形成処理においては、先ず、グルーブ用データ発生器４３及びランド用データ発生器５０を全て初期化する（ステップＳ１）。
【００９０】
次に、位置検出信号Ｓpoに基づいて、現在の各光ビームの照射位置を認識する（ステップＳ２）。
【００９１】
そして、当該認識した位置が光ディスクＤＫ上の記録終了位置（すなわち、リードアウト領域ＬＯの最外周部）か否かが判定され（ステップＳ３）、記録終了位置であるときは（ステップＳ３；ＹＥＳ）、次に、当該記録終了位置において、１周分のプリピット（情報の記録終了位置を示すプリピット）が記録されたか否かを検出すべく、一回転検出信号Ｓsを検出した否かが判定される（ステップＳ３１）。
【００９２】
そして、一回転検出信号Ｓsが検出されていないときは（ステップＳ３１；ＮＯ）、検出されるまで記録終了位置に対応するプリピットの形成を継続し、一回転検出信号Ｓsが検出されたときは（ステップＳ３１；ＹＥＳ）、グルーブトラックＧ及びランドトラックＬの形成を終了すべく制御信号Ｓcl及びＳcgを「LOW」としてデータ発生部２０及びグルーブ用データ発生器４３の動作を停止させ（ステップＳ３２）、処理を終了する。
【００９３】
一方、ステップＳ３の判定において、記録終了位置でないときは（ステップＳ３；ＮＯ）、次に、ステップＳ２において認識した位置が光ディスクＤＫ上の記録開始位置（すなわち、記録制御領域ＣＲの最内周部）か否かが判定され（ステップＳ４）、記録開始位置であるときは（ステップＳ４；ＹＥＳ）、次に、制御信号Ｓcswを「ＨＩＧＨ」レベルとしてスイッチ４２をプリデータ信号Ｓpp側に切り換える（ステップＳ４１）。
【００９４】
そして、一回転検出信号Ｓsを検出することにより、スタンパディスク（光ディスクＤＫ）上の周方向の記録基準位置（光ディスクＤＫの一周につき一箇所予め設定されている。）が検出されたか否かが判定される（ステップＳ４２）。
【００９５】
そして、記録基準位置が検出されないときは（ステップＳ４２；ＮＯ）検出されるまで待機し、検出されたときは（ステップＳ４２；ＹＥＳ）、当該検出された位置からグルーブトラックＧ、ランドトラックＬ及び上記プリピットを形成すべく、制御信号Ｓcl及びＳcgを「ＨＩＧＨ」状態とし、データ生成部２０及びグルーブ用データ発生器４３を動作させて上記グルーブデータ信号Ｓrg及びランドデータ信号Ｓrlの生成出力を開始し、当該グルーブトラックＧ、ランドトラックＬ及び上記プリピットをスタンパディスク上に形成し（ステップＳ４３）、次の記録基準位置を検索すべくステップＳ２に戻る。
【００９６】
次に、ステップＳ４の判定において、記録開始位置でないときは（ステップＳ４；ＮＯ）、次に、ステップＳ２において認識した照射位置が上記遷移部ＭＧを形成すべきリードイン領域ＬＩ内の所定位置であるか否かが判定される（ステップＳ５）。
【００９７】
そして、当該所定位置でないときは（ステップＳ５；ＮＯ）ステップＳ２に戻って今までの処理を継続し、一方、当該所定位置であるときは（ステップＳ５；ＹＥＳ）、次に、一回転検出信号Ｓsを検出することにより、スタンパディスク上の周方向の上記記録基準位置が検出されたか否かが判定される（ステップＳ５１）。
【００９８】
そして、記録基準位置が検出されないときは（ステップＳ５１；ＮＯ）検出されるまで待機し、検出されたときは（ステップＳ５１；ＹＥＳ）、次に、上記遷移部ＭＧを形成する位置を検出すべく、記録基準位置を検出したタイミングを時刻「０」として当該記録基準位置から遷移部ＭＧを形成する位置までの所定時間（予め設定され、ＣＰＵ４０内に記憶されている。）を計時する（ステップＳ５２）。
【００９９】
そして、当該所定時間の計時が終了したタイミングにおいて制御信号Ｓcswを「LOW」としてスイッチ４２をループデータ信号Ｓlp側に切り換ると共に（ステップＳ５３）、制御信号Ｓclpを「ＨＩＧＨ」レベルに切り換えてループデータ発生部４１を動作させ、上記遷移ピット１乃至１０を遷移部ＭＧに対応するランドトラックＬ上に形成すべく、ランドデータ信号Ｓrlの生成を開始する。
【０１００】
このとき、ループデータ発生部４１としては、例えば、情報再生時における光ビームの波長（例えば、５６０nm）を１周期として、当該１周期に対するデューティー比が夫々１０％、２０％、３０％、４０％又は５０％となる５種類の遷移ピット形成用データ（遷移ピットを形成するときに「ＨＩＧＨ」となるデータ）を、光ディスクＤＫの上記所定位置における四分の一周の領域（遷移部ＭＧが形成される領域）を十等分した一の領域（すなわち、光ディスクＤＫの四十分の一周の領域に対応する。）に相当するデータ量毎に、図５に示すように昇順と降順の順番で予め記憶しており、上記ステップＳ５４における制御信号Ｓclpの変更時からこれらを出力する。
【０１０１】
ここで、図５における夫々のデューティー比を有する遷移ピット形成用データについては、図５中左から、遷移ピット１（１０％）、遷移ピット２（２０％）、遷移ピット３（３０％）、遷移ピット４（４０％）、遷移ピット５（５０％）、遷移ピット６（５０％）、遷移ピット７（４０％）、遷移ピット８（３０％）、遷移ピット９（２０％）及び遷移ピット１０（１０％）に夫々対応している。
【０１０２】
次に、ランドデータＳrlの生成が開始されると（ステップＳ５４）、遷移部ＭＧを形成する領域のディスクＤＫにおける八分の一周分の時間が経過したが否かが判定され（ステップＳ５５）、経過していないときは（ステップＳ５５；ＮＯ）そのまま遷移ピットの形成を継続し、経過したときは（ステップＳ５５；ＹＥＳ）そのタイミングで制御信号Ｓcgを「LOW」レベルとしてグルーブ用データ発生器４３の動作及び光ビームＬGの出射を一時停止させ、これにより、図２に示す遷移部ＭＧにおけるグルーブトラックＧ2の終端部を形成する（ステップＳ５６）。
【０１０３】
次に、上述した遷移ピット形成用データの出力がすべて終了したか否かが判定され（ステップＳ５７）、終了していないときは（ステップＳ５７；ＮＯ）そのまま遷移ピット形成用データの出力を継続して当該遷移ピットの形成を継続し、終了したときは（ステップＳ５７；ＹＥＳ）、遷移部ＭＧの形成が終了したとして制御信号Ｓcgを「ＨＩＧＨ」とすると共に光ビームＬGをオンとして遷移部ＭＧの外周側のグルーブトラックＧの形成を再開すると共に（ステップＳ５８）、制御信号Ｓcswを「ＨＩＧＨ」レベルとしてスイッチ４２を再びプリデータ信号Ｓpp側に切り換えて遷移部ＭＧの外周側のランドトラックＬ及びプリピットの形成を開始し（ステップＳ５９）、その後、これまでの動作を繰り返すべくステップＳ２に戻る。
【０１０４】
以上説明した図４の動作により、上記遷移部ＭＧを含むランドトラックＬ及びグルーブトラックＧが形成されたスタンパディスクが完成する。
【０１０５】
この後は、当該スタンパディスクを用いて、樹脂成形、反射膜形成、保護層形成等のいわゆるレプリケーションプロセスが実行されて、グルーブトラックＧ、ランドトラックＬ及び遷移部ＭＧを有するレプリカディスクとしての光ディスクＤＫが大量生産される。
【０１０６】
なお、上述したように製造された光ディスクＤＫに対して正規に情報を記録する場合には、上記遷移部ＭＧ部分を飛ばして記録用光ビームが照射されて情報が記録されると共に、正規の情報再生時には、当該遷移部ＭＧを飛ばして再生用光ビームが照射され、記録されている情報が再生される。
【０１０７】
以上説明したように、第１実施形態のカッティング装置Ｃ及び光ディスクＤＫによれば、不法記録時においては、光ビームの照射位置がグルーブトラックＧ2からグルーブトラックＧ1へ遷移するので、既に記録された情報の上に情報が上書きされることがグルーブトラックＧ1とグルーブトラックＧ2との間で繰り返されることとなるので、情報の不法複写自体を防止できる。
【０１０８】
また、グルーブトラックＧ1及びグルーブトラックＧ2以外のトラックへ情報が記録されることがないので、効果的に情報の不法複写を防止することができる。
【０１０９】
更に、遷移ピット１乃至１０の存在により、トラッキングサーボが施されつつ照射される光ビームの照射位置が確実にグルーブトラックＧ2からグルーブトラックＧ1へ遷移することとなり、不法複写を確実に防止することができる。
【０１１０】
なお、上述の第１実施形態においては、遷移トラック１乃至１０の光ディスクＤＫの回転方向の長さを順次変更する場合について説明したが、これ以外に、全ての遷移ピットの回転方向の長さを、一律に、例えば、デューティー比５０％の遷移ピット形成用データに対応する長さとしても同様の効果が得られる。
【０１１１】
（II）第２実施形態
次に、本発明に係る他の実施形態である第２実施形態について、図６を用いて説明する。
【０１１２】
上述の第１実施形態においては、遷移ピット１乃至１０をグルーブトラックＧ1とグルーブトラックＧ2との間に形成すると共にグルーブトラックＧ2を遷移部ＭＧ内で終端させることにより当該遷移部ＭＧを形成したが、第２実施形態においては、グルーブトラックＧ2を直接内周側のグルーブトラックＧ1へ接続するように形成する。
【０１１３】
すなわち、第２実施形態の光ディスクでは、図６に示すように、遷移部ＭＧ’内における外周側のグルーブトラックＧ2が、当該遷移部ＭＧ内で一つ内周側のグルーブトラックＧ1へ直接接続されている。
【０１１４】
この構造により、グルーブトラックＧ2に形成されていた光スポット（例えば、第１実施形態と同様に、プッシュプル法によりトラッキングサーボ制御されている光スポット。）は、図６中符号ＳＰ10乃至ＳＰ17で示すように、グルーブトラックＧ2から自然にグルーブトラックＧ1へ遷移することとなる。
【０１１５】
また、図６に示す第２実施形態の遷移部ＭＧ’を形成する場合には、図３に示すカッティング装置において、当該遷移部ＭＧ’を形成する領域において送りユニット３２の移動を光ディスク一回転分だけ一時的に停止しておけば、上記グルーブトラックＧ2が内側のグルーブトラックＧ1に自然に接続するように形成されることとなる。
【０１１６】
その後、当該遷移部ＭＧ’の形成が終了したら、光ビームＬGを一時的にオフとすると共に送りユニット３２の移動を再開し、例えば、光ディスク四分の一回転後に再び光ビームＬGを照射するようにすれば、図６に示す遷移部ＭＧ’及びその外側のグルーブトラックＧが形成できることとなる。
【０１１７】
以上説明したように、第２実施形態のカッティング装置Ｃ及び光ディスクＤＫによれば、不法記録時においては、光ビームの照射位置がグルーブトラックＧ2からグルーブトラックＧ1へ遷移するので、既に記録された情報の上に情報が上書きされることがグルーブトラックＧ1とグルーブトラックＧ2との間で繰り返されることとなるので、情報の不法複写自体を防止できる。
【０１１８】
また、グルーブトラックＧ1及びグルーブトラックＧ2以外のトラックへ情報が記録されることがないので、効果的に情報の不法複写を防止することができる。
【０１１９】
更に、遷移部ＭＧ’内においてグルーブトラックＧ2をグルーブトラックＧ1に接続するように当該グルーブトラックＧ2を形成するので、グルーブトラックＧ2を照射していた光ビームがそのままグルーブトラックＧ1を照射するようになることが繰り返されることとなり不法複写を確実に防止することができる。
【０１２０】
なお、上述の各実施形態においては、グルーブトラックＧとランドトラックＬとを有する光ディスクＤＫに対して本発明を適用した場合について説明したが、これ以外に、一般にトラック構造を有し光学的に情報を記録／再生するディスク状記録媒体に対しても本発明は適用可能である。
【図面の簡単な説明】
【図１】第１実施形態の光ディスクの構造を示す平面図である。
【図２】第１実施形態の遷移部の構造を示す拡大平面図である。
【図３】第１実施形態のカッティング装置の概要構成を示すブロック図である。
【図４】第１実施形態の遷移部形成処理を示すフローチャートである。
【図５】第１実施形態の遷移ピットの長さの説明図である。
【図６】第２実施形態の遷移部の構造を示す拡大平面図である。
【符号の説明】
１、２、３、４、５、６、７、８、９、１０…遷移ピット
２０…データ発生部
２１…パラレル／シリアル変換器
２２…プリフォーマット用エンコーダ
２３…クロック信号発生部
２４…レーザ発生装置
２４Ｇ、２４Ｌ…出射装置
２５…光変調器
２６…対物レンズ
２７…ガラス基板
２８…レジスト
２９…スピンドルモータ
３０…回転検出器
３１…回転サーボ回路
３２…送りユニット
３３…位置検出器
３４…送りサーボ回路
４０…ＣＰＵ
４１…ループデータ発生部
４２…スイッチ
４３…グルーブ用データ発生器
５０…ランド用データ発生器
ＳＨ…クランプ孔
ＮＲ…未記録領域
ＣＲ…記録制御領域
ＬＩ…リードイン領域
Ｒ…記録領域
ＬＯ…リードアウト領域
ＭＧ、ＭＧ’…遷移部
ＤＫ…光ディスク
Ｇ、Ｇ1、Ｇ2…グルーブトラック
Ｌ…ランドトラック
ＳＰ1、ＳＰ2、ＳＰ3、ＳＰ4、ＳＰ5、ＳＰ6、ＳＰ7、ＳＰ8、ＳＰ9、ＳＰ10、ＳＰ11、ＳＰ12、ＳＰ13、ＳＰ14、ＳＰ15、ＳＰ16、ＳＰ17…光スポット
Ｓcg、Ｓcl、Ｓclp、Ｓcsw、Ｓso…制御信号
Ｓlp…ループデータ信号
Ｓpp…プリデータ信号
Ｓpl…ランド信号
Ｓrl…ランドデータ信号
Ｓrg…グルーブデータ信号
Ｓrp…回転検出信号
Ｓpo…位置検出信号
Ｓs…一回転検出信号
【図１】
0003860339.tif 000002
【図２】
0003860339.tif 000003
【図３】
0003860339.tif 000004
【図４】
0003860339.tif 000005
【図５】
0003860339.tif 000006
【図６】
0003860339.tif 000007